(57)【要約】【課題】電源の投入状態を確認できるようにするためにＬＥＤ（発光ダイオード）を使用しているが、発光の確認をしやすくするため、ケース外殻に穴を開けなければならないことや基板端面近くにＬＥＤを配置しなければならない。  そのため、基板上の配線が長くなり回路占有面積が広くなることや占有面積が広くなることによる電源との配線によるクロストークなどのノイズの影響を受けやすい。【解決手段】本発明は、レーザーダイオードと光拡散樹脂を組み合わせた構成を用いることにより、従来のＬＥＤでは、ケース外殻付近まで引回しが必要であった基板上の配線を削減することで回路占有面積を小さくすることができ、またクロストークによるノイズの影響を低減できる。【選択図】図２
2015014667.tif 000002
【特許請求の範囲】
【請求項１】
電源回路がケースの内部に収納され、前記電源回路は該電源回路の電源により充電される電解コンデンサと該電解コンデンサの放電機能を備え、前記ケースに設けられた発光確認用の穴から表示される表示光により電源投入状態を確認する電源投入表示装置において、該電源投入表示装置はレーザーダイオードと光拡散樹脂を有し、前記ケース内部にある前記電解コンデンサに蓄電された電荷をレーザーダイオードでレーザー光として使用し、前記発光確認用の穴に前記光拡散樹脂を取り付け、該光拡散樹脂に前記レーザー光を直接照射し前記光拡散樹脂が発光することにより電源投入状態が確認できることを特徴とする電源投入表示装置。
【請求項２】
前記電源回路はサーボモータ駆動回路用に取り付けられる電源回路であることを特徴とする電源投入表示装置。
【発明の詳細な説明】
【技術分野】
【０００１】
本発明は、サーボモータ用駆動回路における交流または直流の主電源の投入状態の表示、更には電解コンデンサに蓄電された電荷の状態を確認できることを特徴とする電源投入表示装置に関する。
【背景技術】
【０００２】
従来、交流または直流の電源投入状態の確認は、電源投入後ケースに設けられた発光確認用の穴１０よりケース内部を覗きこみ、基板上にあるＬＥＤ９（発光ダイオード）の発光状態で電源の投入状態を確認できる様にしている（例えば、特許文献１参照）。
【０００３】
従来の装置の回路を図３で説明すると、電源１が投入されたら電源電圧に応じて電解コンデンサ３に電圧が印加され、電解コンデンサ３の蓄電状態を＋側分圧抵抗４と−側分圧抵抗５の分圧比からＬＥＤ９の発光する電圧を作り発光させている。
【０００４】
従来の装置の構成を図４で説明すると、基板上のＬＥＤ９の発光を確認するためにＬＥＤを基板端面に配置し、ケース外殻に発光確認用の穴１０を開けて内部を正面から覗き込むことで発光を確認する構造となっている。
【先行技術文献】
【特許文献】
【０００５】
【特許文献１】特開平１１−１９１９２３号公報
【発明の概要】
【発明が解決しようとする課題】
【０００６】
前述のように、従来の構成ではケース１２に設けられた発光確認用の穴１０からＬＥＤ９の発光を確認するためにＬＥＤ９を基板上の見えやすい位置に配置しなければならなかった。
【０００７】
そのため基板上の配線が長くなり基板上のパターン占有面積１１が大きくなることでパターンのクロストークによるノイズの影響を受けやすい構成であった。
【０００８】
また、ＬＥＤ９は基板上に実装しているのでケース１２に発光確認用の穴１０を開けて内部の発光を正面から確認しなければならず発光方向もＬＥＤ９上部に限定されるため、発光確認用の穴１０の正面から少しでも角度がずれてしまうと発光が確認できないという課題を有していた。
【０００９】
本発明は、前記従来の課題を解決するもので、レーザーダイオード６を使用することでＬＥＤ９まで必要であった配線を削減でき回路の配置にも制限を受けにくいため基板上のパターン占有面積１１を小さくできる、基板上のパターン占有面積１１を小さくすることでパターンのクロストークによるノイズの影響を低減できる。また、レーザー光７をケース１２にある光拡散樹脂８に直接照射できるため、発光状態の確認が容易な場所に配置できる電源投入表示装置を提供することを目的とする。
【課題を解決するための手段】
【００１０】
前記従来の課題を解決するために、本発明は発光物にＬＥＤを使用したものではなくレーザーダイオードと光拡散樹脂を組み合わせた構成にすることにより、レーザーダイオードから射出されたレーザー光を外殻ケースに取り付けた光拡散樹脂に直接照射することに
より発光確認が容易な電源投入表示装置が実現可能となる。
【発明の効果】
【００１１】
本発明は、レーザーダイオードと光拡散樹脂を組み合わせた構成とすることで、外殻ケース内部にある電解コンデンサに蓄電された電荷をレーザーダイオードでレーザー光として射出しているため、ケースに取り付けた光拡散樹脂にレーザーを直接照射でき、電源投入状態による発光の確認が容易な任意の場所に配置できる。
【００１２】
また、従来はＬＥＤまで必要であった基板上の配線パターンを削減できるため、基板上の回路占有面積を小さくすることができ、回路パターンのクロストークによるノイズの影響も低減できる。
【００１３】
さらに、レーザーダイオードにより出射方向も設定できるため、レーザー光を効率よく光拡散樹脂に照射することができる。
【図面の簡単な説明】
【００１４】
【図１】本発明の実施の形態１におけるレーザーダイオードと光拡散樹脂を使用した回路図
【図２】本発明の実施の形態１におけるレーザーダイオードと光拡散樹脂を使用した構成図
【図３】従来のＬＥＤを使用した回路図
【図４】従来のＬＥＤを使用した構成図
【発明を実施するための形態】
【００１５】
第１の発明は、レーザーダイオードと光拡散樹脂を組み合わせることにより、ケース内部にある電解コンデンサの蓄電状態をレーザーダイオードでレーザー光として使用し、外殻ケースに取り付けた光拡散樹脂にレーザー光を直接照射できる構造のため、少々角度をかえた位置からでも電源の投入状態が確認できる。
そして、レーザーダイオードを使用することにより、従来のＬＥＤの発光を確認できる位置までの配線が必要であったパターンを削減できることにより、基板上の回路占有面積が小さくなり、回路占有面積が小さくなることによりパターンのクロストークによるノイズの影響が低減されるため安定した回路を実現することができる。
更に、レーザーダイオードの出射方向を変化させることにより、発光体の位置を容易に変更することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態におけるレーザーダイオード６と光拡散樹脂８を使用した電源投入表示装置の回路図を示すものである。
【００１８】
図２において、電源１を投入すると電解コンデンサ３に電源電圧に応じた電圧が印加され、
レーザーダイオード６が動作しレーザー光７が射出される。
出射されたレーザー光７を光拡散樹脂８に照射させ電源投入状態を確認できる表示装置を構成している。
【００１９】
以上のように構成された電源投入確認回路と構成について、以下その動作、作用を説明する。
【００２０】
まず、電源１を投入すると整流ダイオード２を通って整流された電圧が電解コンデンサ３に電源電圧に応じた電圧が印加される。
電解コンデンサ３に印加された電圧を＋側分圧抵抗４と−側分圧抵抗５で分圧してレーザーダイオード６が動作する電圧を作り、その電圧によりレーザーダイオード６からレーザー光７  が射出される。
出射されたレーザー光７を光拡散樹脂８に向かって照射させることにより電源投入状態を確認できる表示装置ができる。
【００２１】
以上のように、本実施の形態においてはＬＥＤ９（発光体）をレーザーダイオード６とすることにより、基板上のパターン占有面積１１を小さくすることができるためパターンのクロストークによるノイズを受けにくい回路となり安定した回路を実現することができる。
【００２２】
また、本実施の形態では、レーザーダイオード６から出射されたレーザー光７を反射板を使用することにより光の方向を屈折させることもできることやレーザーダイオード６の
レーザー光７の色を変更することにより、任意の色に変更することもできる。
【産業上の利用可能性】
【００２３】
以上のように、本発明にかかるレーザーダイオードと光拡散樹脂を組み合わせた電源投入表示回路は、レーザーダイオードの動作電圧が確保できる電源電圧を使用する製品に利用が可能となる。
【符号の説明】
【００２４】
１  電源
２  整流ダイオード
３  電解コンデンサ
４  ＋側分圧抵抗
５  −側分圧抵抗
６  レーザーダイオード
７  レーザー光
８  光拡散樹脂
９  ＬＥＤ
１０  発光確認用の穴
１１  基板上のパターン占有面積
１２  ケース
【図１】
2015014667.tif 000003
【図２】
2015014667.tif 000004
【図３】
2015014667.tif 000005
【図４】
2015014667.tif 000006